(57)【要約】【課題】家庭に設置される単独電話機であっても自動再発信する機能を実現できる電話装置を提供する。【解決手段】自動発信判定部１０５は、呼制御部１０２で着信を検出すると、当該着信の発信元の電話番号を記憶し、電話帳部１０７に同一の電話番号があるか判定し、同一の電話番号がある場合、タイマ・計時部１０６に時間の計測開始を指示する。自動発信判定部１０５は、呼制御部１０２で発信元が前記検出した着信を放棄したことを検出すると、タイマ・計時部１０６に着信が放棄されるまでに計測した時間を要求し、その時間があらかじめ設定した時間内であるか判定し、設定時間内であった場合、タイマ・計時部１０６に放棄呼応答タイマの起動を指示する。放棄呼応答タイマの起動の後、自動発信判定部１０５は、放棄呼応答タイマが満了するまでに、オフフック検知部１０８から応答操作を検出すると、自動発信部１０９に発信元番号へ自動発信を指示する。【選択図】  図１
2015177390.tif 000002
【特許請求の範囲】
【請求項１】
直前の着信の発信元電話番号を記憶しておく発信元電話番号記憶手段を有する電話装置において、
着信が到来し自電話装置が当該着信呼に応答する以前に当該着信呼が発信元によって放棄された場合に、当該着信呼が放棄されてから予め定められた一定時間内に自電話装置が当該着信に応答操作が為されたか否かを検知する着信放棄後応答操作検知手段と、
前記着信放棄後応答操作検知手段が前記期間内の応答操作を検知した場合に、前記発信元電話番号記憶手段に記憶されている電話番号へ自動的に発信する自動発信手段と、を有することを特徴とする応答前切断着信呼への自動発信機能を有する電話装置。
【請求項２】
請求項１に記載の電話装置であって、
前記着信呼の発信元の電話番号が自電話装置が備えている相手電話番号記憶手段に記憶されていない電話番号であった場合は、前記自動発信手段を起動しないことを特徴とする応答前切断着信呼への自動発信機能を有する電話装置。
【請求項３】
請求項１または２に記載の電話装置であって、
前記着信呼が発信元によって放棄されたタイミングが、所定時間内であった場合は、前記自動発信手段を起動しないことを特徴とする応答前切断着信呼への自動発信機能を有する電話装置。
【発明の詳細な説明】
【技術分野】
【０００１】
本発明は、電話装置の再発信技術に関し、特に着信応答する直前に当該着信が放棄された場合の再発信技術に関する。
【背景技術】
【０００２】
電話装置が着信を受けつけ、当該着信に応答する直前に発信元が当該着信を放棄し、着信に応答できないことがある。この場合、電話装置のユーザは当該着信あてに再発信しなければならず、煩雑である。
【０００３】
これを解決するための技術として、特許文献１には電子交換機において電子交換機に収容された内線電話機宛に他の内線電話機からの内線着信があると、他の内線電話機が当該内線着信を放棄したときに当該内線着信の内線番号を記憶し、放棄してから所定期間内に内線着信を受けた内線電話機がオフフックすると逆発信する技術が記載されている。
【先行技術文献】
【特許文献】
【０００４】
【特許文献１】特開平４−２１７１５２号公報
【発明の概要】
【発明が解決しようとする課題】
【０００５】
しかしながら、特許文献に記載された技術は、電子交換機の内線着信に限定された内容であり、家庭に設置される電話機や携帯電話などの単独電話機については考慮していない。
【０００６】
本発明は上記の事情を鑑みなされたものであり、その目的は家庭に設置される単独電話機であっても自動再発信する機能を実現できる電話装置を提供することにある。
【課題を解決するための手段】
【０００７】
上記課題を解決するために、本発明においては、直前の着信の発信元電話番号を記憶しておく発信元電話番号記憶手段を有する電話装置において、着信が到来し自電話装置が当該着信呼に応答する以前に当該着信呼が発信元によって放棄された場合に、当該着信呼が放棄されてから予め定められた一定時間内に自電話装置が当該着信に応答操作が為されたか否かを検知する着信放棄後応答操作検知手段と、前記着信放棄後応答操作検知手段が前記期間内の応答操作を検知した場合に、前記発信元電話番号記憶手段に記憶されている電話番号へ自動的に発信する自動発信手段を有することを特徴とする。
【発明の効果】
【０００８】
本発明によれば、電話装置が外線着信を受付けると発信元電話番号を記憶しておき、着信中に発信元が切断した場合であって所定の期間内にオフフックを検知した場合に発信元に自動発信することで、単独電話機であっても逆発信することが可能となる。
【図面の簡単な説明】
【０００９】
【図１】図１は、本発明の電話装置の機能構成を説明するためのブロック図である。
【図２】図２は、本発明の電話装置の動作を説明するためのフロー図である。
【発明を実施するための形態】
【００１０】
以下、本発明の実施形態について図面を用いて説明する。
【００１１】
図１は、本発明の電話装置１０の機能構成を説明するためのブロック図である。
【００１２】
図示するように、電話装置１０は、ＰＳＴＮ（Ｐｕｂｌｉｃ  Ｓｗｉｔｃｈｅｄ  Ｔｅｌｅｐｈｏｎｅ  Ｎｅｔｗｏｒｋｓ）網などの電話網２０に接続し、切断された着信呼への再発信機能を有する電話装置である。
【００１３】
電話装置１０は、通信インターフェース部１０１と、呼制御部１０２と、端末制御部１０３と、マンマシンインターフェース部１０４と、自動発信判定部１０５と、タイマ・計時部１０６と、電話帳部１０７と、オフフック検知部１０８と、自動発信部１０９と、から構成される。
【００１４】
通信インターフェース部１０１は、ＲＪ（Ｒｅｇｉｓｔｅｒｅｄ  Ｊａｃｋ）‐１１やＲＪ‐４５などのモジュラコネクタであり、電話網２０と接続するための接続インターフェースである。
【００１５】
呼制御部１０２は、発着信等、呼接続処理に関わる処理全般（通話に関わる通話処理や終話処理を含む）を制御する。
【００１６】
端末制御部１０３は、電話装置１０の装置に関わる処理全般を制御する。
【００１７】
マンマシンインターフェース部１０４は、マイク、スピーカ、ハンドセット、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）、スピーカ等、着信音の送出や受話操作、発信操作を行うためのユーザインターフェースである。
【００１８】
自動発信判定部１０５は、呼制御部１０２を監視し、着信を検出すると、当該着信の発信元の電話番号（以下、発信元番号と呼称）を記憶し、電話帳部１０７に発信元番号と同一の電話番号が登録されているか否か判定する。電話帳部１０７に発信元番号と同一の電話番号が登録されている場合、自動発信判定部１０５は、タイマ・計時部１０６に着信が検出されてから切断されるまでの時間の計測開始を指示する（以下、計時開始と呼称）。計時開始後、自動発信判定部１０５は、呼制御部１０２が、発信元によって前記検出した着信が放棄されたことを検出すると、タイマ・計時部１０６に計時開始した時間を要求する。タイマ・計時部１０６から、計時開始してから着信を放棄するまでの時間（以下、計時時間と呼称）を渡されると、自動発信判定部１０５は、計時時間があらかじめ設定した時間内であるか否か判定する。そして、自動発信判定部１０５は計時時間が設定時間内であると判断した場合、タイマ・計時部１０６に放棄呼応答タイマの起動を指示する。放棄呼応答タイマ起動後、自動発信判定部１０５は、放棄呼応答タイマが満了するまでに、オフフック検知部１０８から応答操作を検出すると、自動発信部１０９に発信元番号へ自動発信を指示する。
【００１９】
タイマ・計時部１０６は、自動発信判定部１０５からの指示に応じて、計時開始する。タイマ・計時部１０６は自動発信判定部１０５からの計時時間の要求を受付けると、計時時間を通知する。また、タイマ・計時部１０６は、自動発信判定部１０５から放棄呼応答タイマの起動の指示を受付けると、放棄呼応答タイマを起動する。タイマ・計時部１０６は自動発信判定部１０５から放置呼応答タイマが満了したか問い合わせを受付けると、タイマが満了したか否か通知する。
【００２０】
電話帳部１０７は、電話番号が記憶されており、自動発信判定部１０５が発信元番号と同一の電話番号が登録されているか否か判定する際に、電話番号の通知を行う。
【００２１】
オフフック検知部１０８は、自動発信判定部１０５が放棄呼応答タイマを起動させたときに、マンマシンインターフェース部１０４からのオフフック操作による応答操作があるか検知を行う。
【００２２】
自動発信部１０９は、自動発信判定部１０５から発信元番号への自動発信指示を受けた時、通信インターフェース部１０１を経て発信元番号に自動発信を行う。
【００２３】
電話網２０は、電話回線を電子交換機で接続し、相互間通信を可能にする通信網で、電話装置１０の発着信の送受信経路である。
【００２４】
図２は、本発明の電話装置１０の動作を説明するためのフロー図である。本フローは、電話網２０に接続された電話装置１０の電源が投入され、呼接続に係る処理を待機している状態から開始する。
【００２５】
電話装置１０は、電話網２０を介して着信を受付ける（Ｓ１０１）、または電話装置１０のユーザからの発信操作を検出する（Ｓ１１２）、の何れかを待つ。
【００２６】
電話装置１０は、電話網２０を介して着信を受付けると（Ｓ１０１：Ｙｅｓ）、自装置の着信鳴動を開始する（Ｓ１０２）。そして、電話装置１０は、受付けた着信の発信元番号を参照し、発信元番号が電話帳に登録されているか否か判定する（Ｓ１０３）。
【００２７】
電話装置１０は、発信元番号が電話帳に登録されている場合（Ｓ１０３：Ｙｅｓ）、着信開始からの計時を開始する（Ｓ１０４）。
【００２８】
電話装置１０は、発信元番号が電話帳に登録されていない場合（Ｓ１０３：Ｎｏ）、電話機の通常処理である呼接続・通話・終話処理を行い（Ｓ１１３）、ステップ１０１に戻る。
【００２９】
つぎに、電話装置１０は、発信元が着信呼を放棄するか監視する（Ｓ１０５）。
【００３０】
電話装置１０は、着信呼が放棄された場合に（Ｓ１０５：Ｙｅｓ）、着信呼の切断処理を行い、着信開始からの計時を停止する（Ｓ１０６）。
【００３１】
電話装置１０は、着信呼が放棄されていない場合（Ｓ１０５：Ｎｏ）、着信への応答操作があるか検知する（Ｓ１１４）。
【００３２】
電話装置１０は、着信への応答操作を検知した場合に（Ｓ１１４：Ｙｅｓ）、電話機の通常処理である呼接続・通話・終話処理を行い（Ｓ１１５）、ステップ１０１に戻る。
【００３３】
電話装置１０は、着信への応答操作を検知しなかった場合に（Ｓ１１４：Ｎｏ）、ステップ１０５に戻る。
【００３４】
つぎに、電話装置１０は、計時時間が所定時間内か判断する（Ｓ１０７）。
【００３５】
電話装置１０は、計時時間が所定時間内であった場合に（Ｓ１０７：Ｙｅｓ）、放棄呼応答タイマを起動させる（Ｓ１０８）。
【００３６】
電話装置１０は、計時時間が所定時間内でなかった場合に（Ｓ１０７：Ｎｏ）、ステップ１０１に戻る。
【００３７】
つぎに、電話装置１０は、自動発信のための応答操作があるか検知する（Ｓ１０９）。
【００３８】
電話装置１０は、自動発信のための応答操作を検知した場合に（Ｓ１０９：Ｙｅｓ）、発信元番号に自動発信を行い（Ｓ１１０）、電話機の通常処理である呼接続・通話・終話処理を行った後（Ｓ１１１）、ステップ１０１に戻る。
【００３９】
電話装置１０は、自動発信のための応答操作を検知しなかった場合に（Ｓ１０９：Ｎｏ）、放棄呼応答タイマがタイムアウトしていないか判断する（Ｓ１１６）。
【００４０】
電話装置１０は、放棄呼応答タイマがタイムアウトしていると判断した場合に（Ｓ１１６：Ｙｅｓ）、ステップ１０１に戻る。
【００４１】
電話装置１０は、放棄呼応答タイマがタイムアウトしていないと判断した場合に（Ｓ１１６：Ｎｏ）、ステップ１０９に戻る。
【００４２】
電話網２０を介して着信を受付けていなければ（Ｓ１０１：Ｎｏ）、ステップ１１２を行う。
【００４３】
電話装置１０のユーザからの発信操作を検出すると（Ｓ１１２：Ｙｅｓ）、電話装置１０は、ステップ１１３を実行して、ステップ１０１に戻る。
【００４４】
電話装置１０のユーザからの発信操作を検出すると（Ｓ１１２：Ｎｏ）、電話装置１０は、ステップ１０１に戻る。
【００４５】
以上、本発明の実施形態について、説明した。
【００４６】
本発明によれば、電話装置１０は、電話網２０から着信が入り、呼制御部１０２にて着信を検知した時、自動発信判定部１０５は発信元番号を記憶し、当該着信呼に応答する以前に当該着信呼が発信元によって放棄された場合、自動発信判定部１０５がタイマ・計時部１０６に放棄呼応答タイマの起動を指示し、当該着信に対して、マンマシンインターフェース部１０４からオフフック検知部１０８を経て応答操作が為されたか否か検知する。
【００４７】
そして、電話装置１０は前記処理が放棄呼応答タイマの満了までに応答操作を検知した場合、自動発信部１０９に自動発信判定部１０５が記憶している発信元番号に自動発信を指示する。
【００４８】
これにより、電話装置１０は、電話装置１０が着信を受付けると着信中に発信元が切断した場合であって所定の期間内にオフフックを検知した場合に発信元に自動発信するので、単独電話機であっても逆発信することが出来る。
【００４９】
また、本発明によれば、電話装置１０は、自動発信判定部１０５で発信元番号が記憶された時、発信元番号が電話帳部１０７に記憶されているか否か判定する。
【００５０】
そして、電話装置１０は、前記処理で発信元番号が電話帳部１０７に記憶されていない場合、自動発信の指示を行わない。
【００５１】
これにより、電話装置１０は、電話装置１０が着信を受付けると着信中に発信元番号が電話帳部１０７に記憶されているか判定し、記憶されていなかった場合、自動発信の指示を行わないので、自動発信の対象となる相手を設定することが出来る。
【００５２】
また、本発明によれば、電話装置１０は、呼制御部１０２にて着信を検知した時、自動発信判定部１０５はタイマ・計時部１０６に着信呼が切断されるまでの計時開始を指示する。
【００５３】
そして、電話装置１０は、前記処理での計時時間を受け、計時時間があらかじめ定めた所定時間内であった場合、自動発信の指示を行わない。
【００５４】
これにより、電話装置１０は、呼制御部１０２にて着信を検知した時、着信が切断されるまでの時間を計測し、計時時間があらかじめ定めた所定時間内である場合、自動発信の指示を行わないので、間違い電話等の再発信を行うべき対象でない呼に対し再発信を行わない。
【符号の説明】
【００５５】
１０：電話装置
１０１：通信インターフェース部
１０２：呼制御部
１０３：端末制御部
１０４：マンマシンインターフェース部
１０５：自動発信判定部
１０６：タイマ・計時部
１０７：電話帳部
１０８：オフフック検知部
１０９：自動発信部
２０：電話網
【図１】
2015177390.tif 000003
【図２】
2015177390.tif 000004